(57)【要約】【課題】面付けデータに紐付けられた綴じ方法が中綴じ・平綴じのいずれの場合であっても、大判サイズの用紙を用いずに、且つ、紙折り作業を行うことなく校正刷りを印刷可能とする画像データ作成装置、方法及びプログラムを提供する。【解決手段】複数のページが面付けされた面付けデータからページ毎の画像データを取得し、前記面付けデータに基づいてノド空き幅の最大値Ｗｍａｘを取得し、取得された最大値Ｗｍａｘに基づいてノド空き幅の補正量ΔＷをページ毎に算出する。各補正量ΔＷに従って、取得された前記ページ毎の画像データの配置位置をシフトする。【選択図】図４
2011242952.tif 000002
【特許請求の範囲】
【請求項１】
複数のページが面付けされた面付けデータからページ毎の画像データを取得する画像データ取得部と、
前記面付けデータに基づいてノド空き幅の最大値を取得する最大値取得部と、
前記最大値取得部により取得された前記最大値に基づいてノド空き幅の補正量をページ毎に算出する補正量算出部と、
前記補正量算出部により算出された各前記補正量に従って、前記画像データ取得部により取得された前記ページ毎の画像データの配置位置をシフトする画像位置シフト部と
を有することを特徴とする画像データ作成装置。
【請求項２】
請求項１記載の画像データ作成装置において、
前記補正量算出部は、各前記ページのノド空き幅が前記最大値に近づくように各前記補正量を算出する
ことを特徴とする画像データ作成装置。
【請求項３】
請求項２記載の画像データ作成装置において、
前記補正量算出部は、各前記ページのノド空き幅が前記最大値に一致するように各前記補正量を算出する
ことを特徴とする画像データ作成装置。
【請求項４】
請求項１〜３のいずれか１項に記載の画像データ作成装置において、
前記最大値取得部は、前記面付けデータに設定されたクリープに基づいて前記最大値を取得する
ことを特徴とする画像データ作成装置。
【請求項５】
請求項１〜４のいずれか１項に記載の画像データ作成装置において、
前記補正量算出部は、ページ番号に対して前記ノド空き幅が線形的に増減するモデルに基づいて前記補正量をそれぞれ算出する
ことを特徴とする画像データ作成装置。
【請求項６】
複数のページが面付けされた面付けデータからページ毎の画像データを取得するステップと、
前記面付けデータに基づいてノド空き幅の最大値を取得するステップと、
取得された前記最大値に基づいてノド空き幅の補正量をページ毎に算出するステップと、
算出された各前記補正量に従って、取得された前記ページ毎の画像データの配置位置をシフトするステップと
を備えることを特徴とする画像データ作成方法。
【請求項７】
コンピュータを、
複数のページが面付けされた面付けデータからページ毎の画像データを取得する手段、
前記面付けデータに基づいてノド空き幅の最大値を取得する手段、
取得された前記最大値に基づいてノド空き幅の補正量をページ毎に算出する手段、
算出された各前記補正量に従って、取得された前記ページ毎の画像データの配置位置をシフトする手段
として機能させることを特徴とするプログラム。
【発明の詳細な説明】
【技術分野】
【０００１】
本発明は、複数のページが面付けされた面付けデータから、校正機で印刷するための校正用画像データを作成する画像データ作成装置、画像データ作成方法及びプログラムに関する。
【背景技術】
【０００２】
近時、印刷製版の分野において、中間成果物を生成せずに電子データにより直接刷版を形成するＣＴＰ（Ｃｏｍｐｕｔｅｒ  Ｔｏ  Ｐｌａｔｅ）が普及している。また、従前からのオフセット印刷機等の大規模な印刷装置とは別に、電子写真方式やインクジェット方式等の小規模なデジタルプリンタを用いて、比較的小ロットの印刷処理を行うＰＯＤ（Ｐｒｉｎｔ  Ｏｎ  Ｄｅｍａｎｄ）システムも出現している。そこで、複数のページが面付けされた面付けデータ（ＣＴＰ用画像データ）を、刷版を用いることなくＰＯＤシステムで効率良く印刷を行う技術が種々提案されている。
【０００３】
例えば、特許文献１には、製本方法に応じて、用紙サイズや印刷形態（両面印刷又は片面印刷）を設定するとともに、画像位置を変更する装置が開示されている。例えば、袋綴じ（図１２Ａ参照）、中綴じ（図１２Ｂ参照）及び平綴じ（図１２Ｃ参照）に応じて、図１２Ｄ〜図１２Ｆに示すようにページ毎の画像を印刷する旨が記載されている。なお、図１２Ｄ〜図１２Ｆにおけるハッチング領域は、ページ毎の画像領域に相当する。
【０００４】
また、特許文献２には、オフセット印刷での印刷設定情報と、ＰＯＤシステムでの印刷設定情報とに基づいて、出力形態に合わせて、面付けデータのページ内容を再配置する装置及び方法が開示されている。これにより、ＲＩＰ処理がなされた面付けデータをページ単位で切り出す必要がなくなる旨が記載されている。
【先行技術文献】
【特許文献】
【０００５】
【特許文献１】特開２００５−２１６２４２号公報（［００６５］〜［００７０］、［００７４］、図５、図６参照）
【特許文献２】特開２００９−４９１２号公報（［００４４］〜［００４６］、［００５３］、図７参照）
【発明の概要】
【発明が解決しようとする課題】
【０００６】
ところで、面付けデータを校正する際、高性能なＤＤＣＰ（Ｄｉｒｅｃｔ  Ｄｉｇｉｔａｌ  Ｃｏｌｏｒ  Ｐｒｏｏｆｉｎｇ）でなく、比較的安価なデジタルプリンタを用いて校正印刷を行いたいという要求がある。この場合、上記したＰＯＤシステムをそのまま適用すると、以下の不都合が生じ得る。
【０００７】
一般的に、比較的安価なデジタルプリンタは、製造コストを低減するため、装置サイズが小型である。すなわち、印刷可能な用紙サイズが限られており、大判サイズは対応していない場合が多い。
【０００８】
しかしながら、特許文献１及び２に開示された装置等では、中綴じの場合、２ページ単位で両面印刷を行っている。このとき、用紙一面につき２ページ分の画像領域を要するので、校正の際の印刷サイズに制約が生じるという不都合があった。また、中綴じの際には紙折りの工数を要するという不都合もあった。
【０００９】
本発明はこのような課題を考慮してなされたものであり、面付けデータに紐付けられた綴じ方法が中綴じ・平綴じのいずれの場合であっても、大判サイズの用紙を用いずに、且つ、紙折り作業を行うことなく校正刷りを印刷可能とする画像データ作成装置、方法及びプログラムを提供することを目的とする。
【課題を解決するための手段】
【００１０】
本発明に係る画像データ作成装置は、複数のページが面付けされた面付けデータからページ毎の画像データを取得する画像データ取得部と、前記面付けデータに基づいてノド空き幅の最大値を取得する最大値取得部と、前記最大値取得部により取得された前記最大値に基づいてノド空き幅の補正量をページ毎に算出する補正量算出部と、前記補正量算出部により算出された各前記補正量に従って、前記画像データ取得部により取得された前記ページ毎の画像データの配置位置をシフトする画像位置シフト部とを有することを特徴とする。
【００１１】
このように構成しているので、面付けデータに紐付けられた綴じ方法が中綴じ・平綴じのいずれの場合であっても、画像データのページ間におけるノド空き幅のばらつきが小さくなる。そして、前記画像データを用いて校正機により１ページ単位で両面印刷した後、ページ順に束ねて平綴じすることで、ページ配置が適切に調整された校正刷りを取得できる。これにより、面付けデータに紐付けられた綴じ方法が中綴じ・平綴じのいずれの場合であっても、大判サイズの用紙を用いずに、且つ、紙折り作業を行うことなく校正刷りを印刷できる。
【００１２】
また、前記補正量算出部は、各前記ページのノド空き幅が前記最大値に近づくように各前記補正量を算出することが好ましい。
【００１３】
さらに、前記補正量算出部は、各前記ページのノド空き幅が前記最大値に一致するように各前記補正量を算出することが好ましい。このように構成しているので、中綴じの場合、各ページのノド空き幅は、最外側の折り丁に合わせるようにそれぞれ補正される。また、平綴じの場合、各ページのノド空き幅は補正されない。すなわち、面付けデータに紐付けられた綴じ方法が中綴じ・平綴じのいずれの場合であっても、画像データの全ページにおけるノド空き幅が一定になる。
【００１４】
さらに、前記最大値取得部は、前記面付けデータに設定されたクリープに基づいて前記最大値を取得することが好ましい。
【００１５】
さらに、前記補正量算出部は、ページ番号に対して前記ノド空き幅が線形的に増減するモデルに基づいて各前記ページの前記補正量を算出することが好ましい。これにより、簡便に且つ精度良く、ノド空き幅を補正することができる。
【００１６】
本発明に係る画像データ作成方法は、複数のページが面付けされた面付けデータからページ毎の画像データを取得するステップと、前記面付けデータに基づいてノド空き幅の最大値を取得するステップと、取得された前記最大値に基づいてノド空き幅の補正量をページ毎に算出するステップと、算出された各前記補正量に従って、取得された前記ページ毎の画像データの配置位置をシフトするステップとを備えることを特徴とする。
【００１７】
本発明に係るプログラムは、コンピュータを、複数のページが面付けされた面付けデータからページ毎の画像データを取得する手段、前記面付けデータに基づいてノド空き幅の最大値を取得する手段、取得された前記最大値に基づいてノド空き幅の補正量をページ毎に算出する手段、算出された各前記補正量に従って、取得された前記ページ毎の画像データの配置位置をシフトする手段として機能させることを特徴とする。
【発明の効果】
【００１８】
本発明に係る画像データ作成装置、画像データ作成方法及びプログラムによれば、複数のページが面付けされた面付けデータにおけるページ毎の画像データを取得し、前記複数のページのうちのノド空き幅の最大値を取得し、取得された前記最大値に基づいてノド空き幅の補正量をページ毎に算出し、算出された各前記補正量に従って、取得された前記ページ毎の画像データの配置位置をシフトするようにしたので、面付けデータに紐付けられた綴じ方法が中綴じ・平綴じのいずれの場合であっても、画像データのページ間におけるノド空き幅のばらつきが小さくなる。そして、前記画像データを用いて校正機により１ページ単位で両面印刷した後、ページ順に束ねて平綴じすることで、ページ配置が適切に調整された校正刷りを取得できる。これにより、面付けデータに紐付けられた綴じ方法が中綴じ・平綴じのいずれの場合であっても、大判サイズの用紙を用いずに、且つ、紙折り作業を行うことなく校正刷りを印刷できる。
【図面の簡単な説明】
【００１９】
【図１】本実施の形態に係る画像データ作成装置が組み込まれた印刷システムの概略説明図である。
【図２】図１に示す画像データ作成装置の機能ブロック図である。
【図３】図１に示す印刷システムを用いた印刷ワークフローのフローチャートである。
【図４】図３に示す校正印刷ステップにおける画像データ作成装置の動作を説明するフローチャートである。
【図５】図５Ａは、中綴じにおけるページ配置例を表す概略説明図である。図５Ｂは、平綴じにおけるページ配置例を表す概略説明図である。
【図６】図６Ａは、本実施の形態に係る画像データ作成方法を用いて得られる、中綴じ・見開き印刷物の描画内容を表す概略説明図である。図６Ｂは、図６Ａの印刷物を中綴じして得られる校正刷りの概略斜視図である。
【図７】ページ番号に対するノド空き幅の補正量を表すグラフである。
【図８】図８Ａは、本実施の形態に係る画像データ作成方法を用いて得られる、中綴じ印刷物の描画内容を表す概略説明図である。図８Ｂは、図８Ａの印刷物を中綴じして得られる校正刷りの概略斜視図である。
【図９】図９Ａは、本実施の形態に係る画像データ作成方法を用いて得られる、平綴じ・見開き印刷物の描画内容を表す概略説明図である。図９Ｂは、図９Ａの印刷物を平綴じして得られる校正刷りの概略斜視図である。
【図１０】図１０Ａは、本実施の形態に係る画像データ作成方法を用いて得られる、平綴じ印刷物の描画内容を表す概略説明図である。図１０Ｂは、図１０Ａの印刷物を平綴じして得られる校正刷りの概略斜視図である。
【図１１】図１１Ａは、平綴じの変形例を表す概略側面図である。図１１Ｂは、図１１Ａに示す平綴じに適切なノド空き幅の補正量を表すグラフである。
【図１２】図１２Ａ〜図１２Ｃは、従来例に係る校正刷りの概略斜視図である。図１２Ｄ〜図１２Ｆは、従来例に係るページ画像配置の概略説明図である。
【発明を実施するための形態】
【００２０】
以下、本発明に係る画像データ作成方法についてそれを実施する画像データ作成装置並びに印刷システムとの関係において好適な実施形態を挙げ、添付の図面を参照しながら詳細に説明する。
【００２１】
図１は、本実施の形態に係る画像データ作成装置２０が組み込まれた印刷システム１０の概略説明図である。
【００２２】
印刷システム１０は、製版サイト１２と、印刷サイト１４と、データベースサーバ１６と、ＬＡＮ１８とを基本的に備える。製版サイト１２は、画像データ作成装置２０と、校正機２２とを備える。
【００２３】
画像データ作成装置２０は、文字、図形、絵柄や写真等から構成されるカラー画像の配置をページ毎に編集が自在であり、ページ記述言語（以下、ＰＤＬという。）による製版データあるいは編集工程下の編集データ、例えば、４色（ＣＭＹＫ）や３色（ＲＧＢ）のカラーチャンネルからなるＰＤＬ形式データを生成する。
【００２４】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００２５】
画像データ作成装置２０は、ＰＤＬ形式の編集データに対して所望の画像処理、例えば、色変換処理や配置処理等を行い、ラスタ形式画像データ（例えば、ビットマップやＴＩＦＦ）に展開し、校正機２２の印刷方式に適した印刷制御信号に変換し、前記校正機２２に前記印刷制御信号を送信する各機能を有している。
【００２６】
画像データ作成装置２０は、本体２６と、表示部２８と、入力部３０（キーボード３２及びマウス３４）とを備える。ポインティングデバイスとしてのマウス３４に代替し、トラックパッドやトラックボールを用いてもよい。
【００２７】
校正機２２は、面付けデータを校正するための校正刷り２４を得る出力装置である。校正機２２として、オフセット印刷機と同等の印刷性能を備えるＤＤＣＰ（Ｄｉｒｅｃｔ  Ｄｉｇｉｔａｌ  Ｃｏｌｏｒ  Ｐｒｏｏｆｅｒ）、インクジェットカラープルーファ、低解像度のカラーレーザプリンタ（電子写真方式）やインクジェットプリンタ等が用いられる。
【００２８】
データベースサーバ１６は、校正作業が完了した製版データファイル（例えば、ＴＩＦＦファイル、ＰＤＦファイル等）やジョブチケット｛例えば、ＪＤＦ（Ｊｏｂ  Ｄｉｆｉｎｉｔｉｏｎ  Ｆｏｒｍａｔ）ファイル｝の保存や管理等を行うためのサーバである。
【００２９】
ＬＡＮ１８は、イーサネット（登録商標）等の通信規格に基づいて構築されているネットワークである。製版サイト１２と、印刷サイト１４と、データベースサーバ１６とは相互に接続されている。製版サイト１２と印刷サイト１４とは異なる作業場に設けられているので、製版サイト１２内での製版工程と印刷サイト１４内での印刷工程とがＬＡＮ１８を介して行われる。
【００３０】
印刷サイト１４は、データベースサーバ１６から取得した製版データファイルに対して所望の画像処理を行う画像処理装置、刷版を作成するためのプレートセッタ、所望のカラー画像又はモノクロ画像を各種メディアに印刷するオフセット印刷機やデジタル印刷機等を備えている。
【００３１】
図２は、図１に示す画像データ作成装置２０の機能ブロック図である。
【００３２】
本体２６は、Ｉ／Ｆ３６と、入稿データ編集部３８と、面付け処理部４０と、制御部４２と、表示制御部４４と、Ｉ／Ｆ４６と、印刷制御部４８と、Ｉ／Ｆ５０と、メモリ５２と、ＲＩＰ処理部５４（ラスタイメージングプロセッサ）と、校正用画像データ作成部５６とを備えている。
【００３３】
入稿データ編集部３８は、１つ又は複数の入稿データファイルを編集することで、ページ毎の編集データファイルを作成自在である。例えば、配置、色調整等の編集処理を行う。また、校正印刷の結果を踏まえて、編集データの修整処理を行うこともできる。
【００３４】
面付け処理部４０は、指定された綴じ方法や紙折り方法に応じて、ページ単位での面付け作業が自在であり、面付けデータを作成する。
【００３５】
制御部４２は、ＣＰＵ等のプロセッサによって構成されてよい。制御部４２は、面付け処理部４０、表示制御部４４、校正用画像データ作成部５６等の本体２６の各部を制御する。
【００３６】
表示制御部４４は、制御部４２の制御に従って、表示部２８を駆動制御する制御回路である。表示制御部４４が表示制御信号をＩ／Ｆ４６を介して表示部２８に出力することで、表示部２８が駆動する。これにより、表示部２８は、画像を表示することができる。
【００３７】
印刷制御部４８は、制御部４２の制御に従って、校正機２２を駆動制御する制御回路である。印刷制御部４８が印刷制御信号をＩ／Ｆ５０を介して校正機２２に出力することで、校正機２２が駆動する。これにより、校正機２２は、校正刷り２４を印刷することができる。
【００３８】
メモリ５２は、制御部４２が各部を制御するのに必要なプログラム及びデータ（例えば、校正用画像データ作成部５６の処理に必要なデータ）や編集データファイル等を記憶している。メモリ５２は、不揮発性のメモリ、ハードディスク等の記録媒体であってよい。
【００３９】
ＲＩＰ処理部５４は、ＰＤＬ形式の編集データファイルをラスタ形式の画像データに展開する。
【００４０】
校正用画像データ作成部５６は、画像データ取得部５８と、最大値取得部６０と、補正量算出部６２と、綴じ方法取得部６４と、画像処理部６６とをさらに備える。
【００４１】
画像データ取得部５８は、複数のページが面付けされた面付けデータから、校正機２２で印刷するための画像データをページ毎に取得する。
【００４２】
最大値取得部６０は、面付けデータが備える複数のページのうちノド空き幅の最大値を取得する。最大値取得部６０は、面付けデータに設定されたクリープをノド空き幅の最大値として取得する。また、最大値取得部６０は、ＲＩＰ処理後のラスタ画像データから各ノド空き幅を推定し、その最大値を取得してもよい。
【００４３】
なお、本明細書中において、「ノド」とは、本の綴じ目をいう。また、「ノド空き」とは、ノドと版面の間の余白部分である。さらに、「クリープ」とは、各折本の用紙の厚みと折りに必要なスペースに相当する。
【００４４】
補正量算出部６２は、印刷しようとする画像データの各ページでのノド空き幅の補正量を算出する。補正量算出部６２は、所定のノド空き幅（例えば、複数のページのうちノド空き幅の最大値）に近づくように各ページの補正量を算出してもよいし、所定のノド空き幅に一致するように各ページの補正量を算出してもよい。
【００４５】
綴じ方法取得部６４は、面付けデータに紐付けられた綴じ方法を取得する。綴じ方法には、中綴じ、平綴じ、袋綴じ等がある。
【００４６】
画像処理部６６は、校正機２２に印刷させるため、ページ毎の画像データに対して適切な画像処理を行う。画像処理部６６は、２ページ分の画像データを並べて配置し見開きデータを作成する見開きデータ作成部６８と、校正機２２での印刷設定を両面印刷モードに設定する両面印刷設定部７０と、製本態様等の各種条件に応じて画像データの位置をシフトする画像位置シフト部７２とをさらに備える。画像位置シフト部７２は、例えば、ノド空き幅を補正する処理、センタリング処理、画像を綴じ側に寄せる端寄せ処理等を行う。
【００４７】
本実施の形態に係る画像データ作成装置２０は以上のように構成され、上述した各画像処理機能は、基本プログラム（オペレーティングシステム）上で動作する、メモリ５２に格納された応用プログラムを用いて実現することができる。
【００４８】
この実施形態に係る印刷システム１０は、基本的には以上のように構成されるものであり、次にその動作について図３のフローチャート及び図２の機能ブロック図を参照しながら説明する。
【００４９】
製版サイト１２（図１参照）内での作業工程は、ステップＳ１〜Ｓ５から構成されている。本実施の形態では、特に校正印刷工程を中心に説明する。
【００５０】
先ず、作業者は、原稿データの入稿及び編集作業を行う（ステップＳ１）。図２に示すように、クライアントによる入稿指示に従って、図示しない端末装置は、ＬＡＮ１８を介して、所望の入稿データファイルを画像データ作成装置２０側に供給する。そして、画像データ作成装置２０は、Ｉ／Ｆ３６を介して入稿データファイルを取得し、該入稿データファイルをメモリ５２内に一旦記憶する。
【００５１】
そして、作業者の編集作業に応じて、入稿データ編集部３８は、１つ又は複数の入稿ファイルデータを用いて、配置、色調整等の編集処理を行い、ページ毎の編集データを作成する。その後、面付け処理部４０は、指定された綴じ方法や紙折り方法に応じて、ページ単位での面付けデータを作成する。
【００５２】
面付けデータの作成が終了した旨の通知を受け、メモリ５２は、面付け処理部４０により作成した面付けデータを、データファイルとして記憶する。
【００５３】
次いで、作業者は、面付けデータに基づいて校正印刷を行う（ステップＳ２）。画像データ作成装置２０の動作や、校正刷り２４の具体的形態等について、詳細は後述する。
【００５４】
次いで、作業者は、校正刷り２４を目視し、修整箇所がないか否かを確認する（ステップＳ３）。修整箇所が発見された場合、作業者は、校正刷り２４上に修整箇所及び修整内容を記入する。そして、必要に応じて前記編集データを修整する（ステップＳ４）。あるいは、面付けデータを直接修整してもよい。入稿データ編集部３８は、作業者の変更指示に応じて、編集データ（又は面付けデータ）の内容を変更する。メモリ５２は、修整を終えたデータを新たなデータファイルとして記憶する。
【００５５】
一方、ステップＳ３で発見した修整箇所について、修整作業がすべて完了した場合は、ステップＳ２に戻って、校正印刷を再度行う（ステップＳ２）。校正機２２による印刷では、ステップＳ４で記憶された新たなデータファイルを用いる。以下、作業者は、面付けデータの修整箇所がなくなるまでステップＳ２〜Ｓ４を繰り返す。そして、校正作業が終了すると、製版データファイルのデータ内容が確定する。
【００５６】
次いで、作業者は、製版データファイルをデータベースサーバ１６にアップロードする（ステップＳ５）。制御部４２は、メモリ５２に記憶した最新の面付けデータファイルを製版データファイルとして、Ｉ／Ｆ３６、ＬＡＮ１８を介して、データベースサーバ１６側に送信する。
【００５７】
最後に、作業者は、印刷工程を行う（ステップＳ６）。印刷サイト１４は、データベースサーバ１６が保持する製版データファイルをダウンロードする。その後、画像処理装置により所望の画像処理がなされ、プレートセッタにより刷版が作成され、オフセット印刷機によりカラー画像又はモノクロ画像が印刷される。あるいは、刷版を作成することなく、デジタル印刷機を用いて直接印刷してもよい。
【００５８】
以上のようにして、入稿から印刷までの印刷ワークフローの全工程が終了する。
【００５９】
続いて、図３の校正印刷ステップ（ステップＳ２）における画像データ作成装置２０の動作について、図４のフローチャートを参照しながら詳細に説明する。
【００６０】
先ず、面付けデータを取得する（ステップＳ２１）。この面付けデータの形式は、例えばＰＤＬ形式である。あるいは、ＲＩＰ処理済みの面付けデータ、例えば、ＣＭＹＫの４色のカラーチャンネルを有する２値（１ビット階調）のＴＩＦＦファイルであってもよい。
【００６１】
図５Ａは中綴じ指定の面付けデータの概略説明図であり、図５Ｂは平綴じ指定の面付けデータの概略説明図である。なお、参照符号１００、１０２は、面付けデータを用いて印刷した場合の可視画像を表す。
【００６２】
次いで、ページ毎の画像データを取得する（ステップＳ２２）。画像データ取得部５８は、メモリ５２から取得した面付けデータに対して、各ページの画像領域を切り出すトリム処理を行う。そして、画像データ取得部５８は、校正機２２で印刷するための画像データをページ毎に取得する。そして、メモリ５２は、画像データ取得部５８が取得した画像データを記憶する。あるいは、実際にトリム処理を行わずに、いつでも切出可能とするためにトリム領域を予め設定するだけであってもよい。
【００６３】
以下、校正機２２を用いて、１ページ分の画像データからＡ４サイズの校正刷り２４を印刷することを前提に説明する。
【００６４】
次いで、面付けデータに紐付けられた綴じ方法が中綴じであるか否かを判別する（ステップＳ２３）。例えば、綴じ方法取得部６４は、面付けデータに応じたＪＤＦデータファイルを参照することにより、綴じ方法を取得する。取得された綴じ方法は、画像処理部６６側に供給され、各種画像処理の際の条件判定に用いられる。
【００６５】
面付け設定が中綴じである場合は、校正機２２による見開き印刷を行うか否かを判別する（ステップＳ２４）。作業者による入力部３０の操作により、見開き印刷の適否について予め設定することができる。
【００６６】
校正機２２による見開き印刷を行う場合、見開き画像データを作成する（ステップＳ２５）。見開きデータ作成部６８は、画像データ取得部５８から各ページの画像データを取得し、第１ページ及び第６４ページ、第２ページ及び第６３ページ、第３ページ及び第６２ページ、…と２ページ毎に順次マージすることで、各見開き画像データを作成する。なお、１ページ分の画像データがＡ４サイズに相当するので、各見開き画像データ（２ページ分）はＡ３サイズに相当する。
【００６７】
次いで、センタリング処理を行う（ステップＳ２６）。画像位置シフト部７２は、ページの接合位置が中央になるように、各見開き画像データの配置を合わせる。このようにして、校正用画像データ作成部５６は、中綴じ、ＳＲＡ３サイズ見開き、片面印刷のための校正用画像データを作成する。なお、断裁部位を考慮して、Ａ３サイズよりも一回り大きいＳＲＡ３サイズの用紙を用いる。
【００６８】
次いで、校正機２２による印刷を行う（ステップＳ３８）。印刷制御部４８は、印刷指示を受けて、校正用画像データ作成部５６から取得した校正用画像データを印刷制御信号に変換する。そして、校正機２２は、Ｉ／Ｆ５０を介して印刷制御信号を取得し、該印刷制御信号に基づいて図示しない用紙（メディア）上に画像を印刷することで、校正刷り２４を得る。このとき、印刷サイト１４での印刷色に一致するように、公知のカラーマッチング技術を用いて校正刷り２４の色を調整してもよい。
【００６９】
そして、図６Ａに示すように、ＳＲＡ３サイズの用紙に片面印刷された、印刷物Ｐａ１〜Ｐａ１６が得られる。印刷物Ｐａ１の表面左側には第６４ページが配置されており、印刷物Ｐａ１の表面右側には第１ページが配置されている。また、印刷物Ｐａ１の第６４ページの裏側には第６３ページが配置されており、第１ページの裏側には第２ページが配置されている。
【００７０】
また、印刷物Ｐａ２の表面左側には第６２ページが配置されており、印刷物Ｐａ２の表面右側には第３ページが配置されている。印刷物Ｐａ２の第６２ページの裏側には第６１ページが配置されており、第３ページの裏側には第４ページが配置されている。
【００７１】
以下、同様にして、印刷物Ｐａ１６の表面左側には第３４ページが配置されており、表面右側には第３１ページが配置されている。印刷物Ｐ１６の第３４ページの裏側には第３３ページが配置されており、第３１ページの裏側には第３２ページが配置されている。
【００７２】
印刷物Ｐａ１〜Ｐａ１６の折り丁を順番に重ねた後に、ノドの位置で折り丁の内側から綴じると、図６Ｂのような中綴じ製本の校正刷り２４ａが完成する。
【００７３】
ここで、クリープが適切に設定されているので、印刷物Ｐａ１のノド空き幅Ｗ１が最も大きく、印刷物Ｐａ２のノド空き幅Ｗ２はＷ１よりも小さく設けられている。以下、ノド空き幅が徐々に小さくなり、印刷物Ｐａ１６のノド空き幅Ｗ１６は最も小さく０である。これにより、表紙１０４ａ側から裏表紙１０６ａ側までの各ページにおいて、校正刷り２４ａの積載方向に対して画像位置（破線で示す画像境界線Ｂａ）が同じ位置になるように調整されている。
【００７４】
図４に戻って、面付け設定が中綴じであり、且つ、校正機２２による見開き印刷を行わない場合、両面印刷設定をする（ステップＳ２７）。両面印刷設定部７０は、校正機２２の印刷モードを両面印刷に設定する。なお、校正機２２の用紙はＳＲＡ４サイズである。
【００７５】
次いで、ノド空き幅の最大値Ｗｍａｘを取得する（ステップＳ２８）。最大値取得部６０は、例えば、面付けデータに紐付けられたＪＤＦファイルデータを参照し、クリープの設定値を取得する。あるいは、最大値取得部６０は、公知の画像処理技術を用いて、ページ毎の画像データからノド空き幅を検出した上で、最大値Ｗｍａｘを推定してもよい。通常は、最外側の折り丁（図６Ａ例では、印刷物Ｐａ１）におけるノド空き幅（図６Ａ例では、Ｗ１）が最大値Ｗｍａｘに相当する。
【００７６】
次いで、ノド空き幅の補正量ΔＷを算出する（ステップＳ２９）。補正量算出部６２は、補正対象のページでのノド空き幅Ｗと、ステップＳ２８で取得したノド空き幅の最大値Ｗｍａｘとを用いて補正量ΔＷを算出する。補正量算出部６２は、例えば、以下の（１）式で算出する。
ΔＷ＝Ｗｍａｘ−Ｗ                                …（１）
【００７７】
または、所定の計算モデルに基づいて補正量ΔＷを推定してもよい。以下、計算モデルの一例について説明する。
【００７８】
例えば、ページ番号に対してノド空き幅が線形的に増減すると仮定すると、各ページ番号におけるノド空き幅の補正量ΔＷは、図７に示すグラフで表すことができる。
【００７９】
このグラフの横軸はページ番号であり、縦軸は補正量［ｍｍ］である。ページ総数は６４ページであり、用紙の厚さをｄ［ｍｍ］とする。
【００８０】
図７から諒解されるように、第１〜第３２ページでは、ページ番号に対して補正量ΔＷが線形的に増加している。すなわち、補正量ΔＷは、傾きがｄ［ｍｍ／ページ］の１次関数で近似されている。一方、第３３〜第６４ページでは、ページ番号に対して補正量ΔＷが線形的に減少している。すなわち、補正量ΔＷは、傾きが−ｄ［ｍｍ／ページ］の１次関数で近似されている。
【００８１】
このように、クリープ（最大値Ｗｍａｘ）、用紙の厚さｄ［ｍｍ］、及びページ総数のうちいずれか２つ以上の値が既知であれば、簡単且つ精度良く、各ページでの補正量ΔＷを算出することができる。
【００８２】
図４に戻って、各ページを綴じ側にシフトする（ステップＳ３０）。画像位置シフト部７２は、ステップＳ２９で算出した補正量ΔＷだけ画像データの配置位置をシフトする。このようにして、校正用画像データ作成部５６は、中綴じ、ＳＲＡ４サイズ、両面印刷のための校正用画像データを作成する。
【００８３】
次いで、校正機２２による印刷を行う（ステップＳ３８）。印刷の際における画像データ作成装置２０の動作については上述の通りであるから、その説明を省略する。
【００８４】
そして、図８Ａに示すように、ＳＲＡ４サイズの用紙に両面印刷された、印刷物Ｐｂ１〜Ｐｂ３２が得られる。印刷物Ｐｂ１の表面には第１ページが配置されており、印刷物Ｐｂ１の裏面には第２ページが配置されている。また、印刷物Ｐｂ２の表面には第３ページが配置されており、印刷物Ｐｂ２の裏面には第４ページが配置されている。以下、同様にして、印刷物Ｐｂ３２の表面には第６３ページが配置されており、印刷物Ｐｂ３２の裏面には第６４ページが配置されている。
【００８５】
印刷物Ｐｂ１〜Ｐｂ３２を順番に重ねた後に、ノドの位置で表紙１０４ｂ左端側から綴じると、図８Ｂのような平綴じ製本の校正刷り２４ｂが完成する。
【００８６】
ここで、クリープの設定値を考慮せずにそのまま印刷し、印刷物Ｐｂ１〜Ｐｂ３２を左側に寄せて綴じる場合は、綴じの表紙１０４ｂ側から内側中央、該内側中央から裏表紙１０６ｂ側にわたって、各ページの画像位置（一点鎖線で示す境界線Ｃ）が折れ線状にずれる。そこで、クリープの設定値を相殺するようにノド空き幅の補正を行うことにより、表紙１０４ｂ側から裏表紙１０６ｂ側までの各ページにおいて、校正刷り２４ｂの積載方向に対して画像位置（破線で示す境界線Ｂｂ）が同じ位置になるように調整されている。
【００８７】
図４に戻って、面付け設定が中綴じ以外である場合、さらに平綴じであるか否かを判別する（ステップＳ３１）。
【００８８】
面付け設定が平綴じであり、且つ、校正機２２による見開き印刷を行う場合、見開き画像データを作成し（ステップＳ３３）、センタリング処理を行い（ステップＳ３４）、校正機２２により印刷する（ステップＳ３８）。これらのステップの際における画像データ作成装置２０の動作は、校正刷り２４ａ（ステップＳ２５、Ｓ２６及びＳ３８）の場合と同様であるから、その説明を省略する。なお、平綴じの場合は、クリープの設定値が無効（設定値が０）であることに留意する。
【００８９】
そして、図９Ａに示すように、ＳＲＡ３サイズの用紙に片面印刷された、印刷物Ｐｃ１〜Ｐｃ１６が得られる。なお、ページの配置は、印刷物Ｐａ１〜Ｐａ１６と同様である。平綴じの場合は、クリープが設定されていないので、印刷物Ｐｃ１〜Ｐｃ１６のノド空き幅は０である。
【００９０】
印刷物Ｐｃ１〜Ｐｃ１６の折り丁を順番に重ねた後に、ノドの位置で折り丁の内側から綴じると、図９Ｂのような中綴じ製本の校正刷り２４ｃが完成する。これにより、各折り丁の表紙１０４ｃ側から裏表紙１０６ｃ側までの各ページにおいて、校正刷り２４ｃの積載方向に対して画像位置（破線で示す画像境界線Ｂｃ）が同じ位置になるように調整されている。
【００９１】
図４に戻って、面付け設定が中綴じであり、且つ、見開き印刷を行わない場合は、両面印刷設定をし（ステップＳ３５）、各ページを片側にシフトし（ステップＳ３６）、校正機２２により印刷する（ステップＳ３８）。これらのステップの際における画像データ作成装置２０の動作は、校正刷り２４ｂ（ステップＳ２７、Ｓ３０及びＳ３８）の場合と同様であるから、その説明を省略する。ただし、平綴じの場合はクリープの設定値が無効（設定値が０）であるから、ステップＳ２８及びＳ２９に示すように、ノド空き幅を補正する必要がない点に留意する。
【００９２】
そして、図１０Ａに示すように、ＳＲＡ４サイズの用紙に両面印刷された、印刷物Ｐｄ１〜Ｐｄ３２が得られる。なお、ページの配置は、印刷物Ｐｂ１〜Ｐｂ３２と同様である。平綴じの場合は、クリープが設定されていないので、印刷物Ｐｄ１〜Ｐｄ１６のノド空き幅は０である。
【００９３】
印刷物Ｐｄ１〜Ｐｄ３２を順番に重ねた後に、ノドの位置で表紙１０４ｄ左端側から綴じると、図１０Ｂのような平綴じ製本の校正刷り２４ｄが完成する。これにより、表紙１０４ｄ側から裏表紙１０６ｄ側までの各ページにおいて、校正刷り２４ｄの積載方向に対して画像位置（破線で示す画像境界線Ｂｄ）が同じ位置になるように調整されている。
【００９４】
図４に戻って、面付け設定が中綴じでも平綴じでもない場合は、その綴じ方法に応じた他の製本設定を行い（ステップＳ３７）、校正機２２により印刷する（ステップＳ３８）。
【００９５】
このように、複数のページが面付けされた面付けデータからページ毎の画像データを取得し、前記面付けデータに基づいてノド空き幅の最大値Ｗｍａｘを取得し、取得された最大値Ｗｍａｘに基づいて各前記ページのノド空き幅の補正量ΔＷを算出し、算出された補正量ΔＷに従って、取得された前記ページ毎の画像データの配置位置をシフトするようにした。そして、各前記ページのノド空き幅が最大値Ｗｍａｘに一致するように補正量ΔＷを算出するようにしたので、面付けデータに紐付けられた綴じ方法が中綴じ・平綴じのいずれの場合であっても、画像データの全ページにおけるノド空き幅が一定になる。すなわち、中綴じの場合、各ページのノド空き幅は、最外側の折り丁に合わせるようにそれぞれ補正される。また、平綴じの場合、各ページのノド空き幅は補正されない。
【００９６】
そして、前記画像データを用いて校正機２２により１ページ単位で両面印刷した後、ページ順に束ねて平綴じすることで、ページ配置が適切に調整された校正刷り２４ａ〜２４ｄを取得できる。これにより、面付けデータに紐付けられた綴じ方法が中綴じ・平綴じのいずれの場合であっても、大判サイズの用紙を用いずに、且つ、紙折り作業を行うことなく校正刷り２４ａ〜２４ｄを印刷できる。
【００９７】
なお、この発明は、上述した実施形態に限定されるものではなく、この発明の主旨を逸脱しない範囲で自由に変更できることは勿論である。
【００９８】
例えば、折り丁を重ねた束（以下、折り丁束という。）を複数重ねた状態で平綴じ又はかがり綴じにした場合でも、本発明を適用することができる。
【００９９】
図１１Ａに示すように、下から順番に、折り丁束１１０、１１２及び１１４を積載した状態で、ステープル針１１６を用いて、折り丁束１１４側から平綴じする。折り丁束１１０、１１２及び１１４は、いずれも８つの折り丁を重ねて構成される。このとき、図１１Ｂに示すように、ページ番号に対して三角波状に増減する補正量ΔＷを用いることで、ページ配置を適切に調整することができる。
【符号の説明】
【０１００】
１０…印刷システム                        １２…製版サイト
１４…印刷サイト                          １８…ＬＡＮ
２０…画像データ作成装置                  ２２…校正機
２４、２４ａ〜２４ｄ…校正刷り            ２６…本体
２８…表示部                              ３０…入力部
３８…入稿データ編集部                    ４０…面付け処理部
４２…制御部                              ４４…表示制御部
４８…印刷制御部                          ５２…メモリ
５４…ＲＩＰ処理部                        ５６…校正用画像データ作成部
５８…画像データ取得部                    ６０…最大値算出部
６２…補正量算出部                        ６４…綴じ方法取得部
６６…画像処理部                          ６８…見開きデータ作成部
７０…両面印刷設定部                      ７２…画像位置シフト部
１０４ａ〜１０４ｄ…表紙                  １０６ａ〜１０６ｄ…裏表紙
１１０、１１２、１１４…折り丁束
【図１】
2011242952.tif 000003
【図２】
2011242952.tif 000004
【図３】
2011242952.tif 000005
【図４】
2011242952.tif 000006
【図５】
2011242952.tif 000007
【図６】
2011242952.tif 000008
【図７】
2011242952.tif 000009
【図８】
2011242952.tif 000010
【図９】
2011242952.tif 000011
【図１０】
2011242952.tif 000012
【図１１】
2011242952.tif 000013
【図１２】
2011242952.tif 000014